(57)【要約】  【課題】簡単な構成及び簡単な工程でコアのア−スを確実にとる。  【解決手段】ア−ス接続端子７に、主面部７ａと、該主面部７ａから対向するように折曲形成され、トランス１におけるコア２の側部近傍における対向面部に弾力的に挟着される一対の挟着片７ｂ，７ｂと、主面部７ａから複数の端子ピン６，６…とほぼ平行且つ同方向に延在され、配線基板上のア−ス用のランドに接続されるピン状端子部７ｃとを具備させることにより、簡単な構成及び簡単な工程でコア２のア−スを確実にとる。【選択図】図１
2005159233.tif 000002
【特許請求の範囲】
【請求項１】
コイルが巻回されたコアを備えるとともに前記コイルに対する入・出力用の端子ピンを含む複数の端子ピンを備え、該複数の端子ピンが配線基板上の所定のランドに接続されて当該配線基板上に実装されるトランスにおける前記コアを前記配線基板上のア−ス用のランドに接続するコアのア−ス接続端子であって、
主面部と、該主面部から対向するように折曲形成され、前記コアの側部近傍における対向面部に弾力的に挟着される一対の挟着片と、前記主面部から前記端子ピンとほぼ平行且つ同方向に延在され、前記ア−ス用のランドに接続されるピン状端子部とを有することを特徴とするコアのア−ス接続端子。
【請求項２】
上記一対の挟着片は、当該一対の挟着片間の間隔が次第に狭まるように折曲形成されるとともに先端部の間隔は上記コアにおける対向面部の厚さ以上に拡げられていることを特徴とする請求項１記載のコアのア−ス接続端子。
【請求項３】
上記一対の挟着片における少なくとも一方の挟着片には、上記主面部との折曲線に沿った幅方向のほぼ中央部で且つ前記主面部との折曲部から上記先端部にかけてスリットを形成してなることを特徴とする請求項１又は２記載のコアのア−ス接続端子。
【発明の詳細な説明】
【技術分野】
【０００１】
本発明は、トランスにおけるコアのア−ス接続端子に関するものであり、特に、簡単な構成及び簡単な工程でコアのア−スを確実にとることが可能なコアのア−ス接続端子に関するものである。
【背景技術】
【０００２】
配線基板上に実装されるトランスのノイズ対策の１つとして、従来、そのトランスのコアを、例えば配線基板上のア−ス用のランドに接続することが行われている。
【０００３】
このような従来技術として、例えば次のようなものが知られている。この従来技術は、導電性及び弾性を有する金属板を素材とし、トランス本体の平面形状とほぼ等しい外形を有する主面部と、この主面部の幅方向の両側縁から第１のコア部材と第２のコア部材の組み合わせ部位と対向する両側面に対応してそれぞれ折曲形成された一対の保持片と、前記主面部の長さ方向の一方側縁から折曲形成されてア−ス端子となる取付片とを一体に形成したホルダ部材を備え、該ホルダ部材が、前記一対の保持片によって前記第１のコア部材と第２のコア部材とを挟持してその組合わせ状態を保持するとともに該第１、第２のコア部材に装着されるコイル部材も併せ保持するようにして、前記トランス本体に組み合わされ、また、前記取付片が配線基板上のランドにはんだ付けされて第１のコア部材及び第２のコア部材のア−スがとられる（例えば、特許文献１参照）。
【０００４】
このような、第１、第２のコア部材及びコイル部材保持用のホルダ部材に、ア−ス端子として作用する取付片を付設した従来技術に対し、次のような簡便な方法も一般的に行われている。まず、その１つの方法は、コアに銅箔を貼り付け、その銅箔に導線をはんだ付けして該導線の他端をトランスのア−ス端子に絡げてはんだ付けするという方法である。また、他の方法は、コアとトランスの隙間に金属端子を差込み、その金属端子の他端を配線基板のア−ス端子に接続するという方法である。
【特許文献１】特開２００２−３４３６５１号公報（第３〜５頁、図１〜５）。
【発明の開示】
【発明が解決しようとする課題】
【０００５】
特許文献１に記載の従来技術においては、第１、第２のコア部材及びコイル部材の保持を主目的としているので、ホルダ部材は、トランス本体の平面形状とほぼ等しい外形を有する主面部を主体として構成されており、また、そのホルダ部材が、主面部に形成された一対の保持片によって第１、第２のコア部材を挟持するとともにコイル部材を保持するようにトランス本体に組み合わされる工程を経て、ア−ス端子となる取付片がトランス本体に整えられる。このため、コアのア−スとりという点では、簡単な構成及び簡単な工程のものとは言えない。さらに、簡便な１つの方法では、銅箔とア−ス端子間を接続する導線に断線の生じるおそれがあり、簡便な他の方法では、コアとトランスの隙間に差込んだ金属端子が脱落するおそれがある。このため、コアのア−スとりが確実性に欠けるという問題がある。
【０００６】
そこで、簡単な構成及び簡単な工程でコアのア−スを確実にとるために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、コイルが巻回されたコアを備えるとともに前記コイルに対する入・出力用の端子ピンを含む複数の端子ピンを備え、該複数の端子ピンが配線基板上の所定のランドに接続されて当該配線基板上に実装されるトランスにおける前記コアを前記配線基板上のア−ス用のランドに接続するコアのア−ス接続端子であって、主面部と、該主面部から対向するように折曲形成され、前記コアの側部近傍における対向面部に弾力的に挟着される一対の挟着片と、前記主面部から前記端子ピンとほぼ平行且つ同方向に延在され、前記ア−ス用のランドに接続されるピン状端子部とを有するコアのア−ス接続端子を提供する。
【０００８】
この構成によれば、トランスのコアに対し、一対の挟着片を嵌め込み挟着させることで、他の接着等の脱落防止策が無くても、コア・ア−ス用のピン状端子部が、他の複数の端子ピンとほぼ平行に整えられる。該複数の端子ピンを配線基板上の所定のランドに接続する工程時に、ア−ス用のランドに対するピン状端子部の接続が行われてコアのア−スとりが行われる。このコアのア−スとりにより、コアを含むトランス本体の電位が一定に保持されてノイズ対策が図られるとともに安定したトランス動作が行われる。
【０００９】
請求項２記載の発明は、上記一対の挟着片は、当該一対の挟着片間の間隔が次第に狭まるように折曲形成されるとともに先端部の間隔は上記コアにおける対向面部の厚さ以上に拡げられている請求項１記載のコアのア−ス接続端子を提供する。
【００１０】
この構成によれば、一対の挟着片間の間隔が次第に狭まるように折曲形成されることで、コアに対する一対の挟着片の取付けが強固に行われるとともに、両者間の確実な導通が得られる。また、先端部の間隔がコアにおける対向面部の厚さ以上に拡げられることで、一対の挟着片間の間隔が次第に狭まるように形成されていても、コアに対する一対の挟着片の容易嵌め込み性が得られる。
【００１１】
請求項３記載の発明は、上記一対の挟着片における少なくとも一方の挟着片には、上記主面部との折曲線に沿った幅方向のほぼ中央部で且つ前記主面部との折曲部から上記先端部にかけてスリットを形成してなる請求項１又は２記載のコアのア−ス接続端子を提供する。
【００１２】
この構成によれば、コアに対して一対の挟着片を一層嵌め込み易くなるとともに、少なくとも一方の挟着片がスリットにより２個に分割されることで、コアに対する挟着片の接触性が良好になって、両者間の一層確実な導通を得ることが可能となる。
【発明の効果】
【００１３】
請求項１記載の発明は、主面部と、該主面部から対向するように折曲形成され、コアの側部近傍における対向面部に弾力的に挟着される一対の挟着片と、前記主面部から端子ピンとほぼ平行且つ同方向に延在され、ア−ス用のランドに接続されるピン状端子部とを備えさせたので、他の接着等の脱落防止策が無くても、ピン状端子部を他の複数の端子ピンとほぼ平行且つ同方向に整えることができ、また該複数の端子ピンを配線基板上の所定のランドに接続する工程時に、ピン状端子部をア−ス用のランドに接続することができる。したがって、簡単な構成及び簡単な工程でコアのア−スを確実にとることができるという利点がある。
【００１４】
請求項２記載の発明は、上記一対の挟着片は、当該一対の挟着片間の間隔が次第に狭まるように折曲形成されるとともに先端部の間隔は上記コアにおける対向面部の厚さ以上に拡げられているので、上記請求項１記載の発明の効果に加えてさらに、コアに対する一対の挟着片の挟着態様が強固に行われて、両者間の確実な導通を得ることができる。また、一対の挟着片間の間隔が次第に狭まるように形成されていても、コアに対し、一対の挟着片を容易に嵌め込むことができるという利点がある。
【００１５】
請求項３記載の発明は、上記一対の挟着片における少なくとも一方の挟着片には、上記主面部との折曲線に沿った幅方向のほぼ中央部で且つ前記主面部との折曲部から上記先端部にかけてスリットを形成したので、上記請求項１又は２記載の発明の効果に加えてさらに、一対の挟着片がコアに対して一層嵌め込み易くなり、また、コアに対する挟着片の接触性が良好になって、作業性の一層の向上とともに両者間の一層確実な導通を得ることができるという利点がある。
【発明を実施するための最良の形態】
【００１６】
簡単な構成及び簡単な工程でコアのア−スを確実にとるという目的を、ア−ス接続端子に、主面部と、該主面部から対向するように折曲形成され、コアの側部近傍における対向面部に弾力的に挟着される一対の挟着片と、前記主面部からコイルに対する入・出力用の端子ピンを含む複数の端子ピンとほぼ平行且つ同方向に延在され、配線基板上のア−ス用のランドに接続されるピン状端子部とを具備させることにより実現した。
【実施例１】
【００１７】
以下、本発明の実施例１を図面に従って詳述する。図１は、本実施例に係るコアのア−ス接続端子が装着されたトランスの一例を示す側面図、図２は、図１の正面図、図３は、図１の平面図、図４は、図１の底面図、図５は、ア−ス接続端子の正面図及び側面図である。まず、本実施例に係るコアのア−ス接続端子が装着されるトランスの構成例から説明する。
【００１８】
図１〜図４に示すように、トランス１のコア２は、互いに対称形をなす２個のＥ形のコア部材が突き合わされ、その両コア部材の突き合わせ面が接着剤で接合されて一体化されている。前記コア２における両コア部材のセンタコア部の部分には、両端部にフランジ３，３を備えたボビンに一次コイルと二次コイルとを巻数を異にして巻回したコイル４が装着されている。
【００１９】
また、図１、図２及び図４に示すように、前記コイル４の両側方におけるコア２の底面部に、端子部材５ａ，５ｂが接着剤で固着されている。該端子部材５ａ，５ｂの底面には、前記一次コイルが接続される一対の入力側端子ピン及び前記二次コイルが接続される一対の出力側端子ピンを含む複数の端子ピン６，６…が設けられている。そして、当該トランス１は、該複数の端子ピン６，６…及び後述のピン状端子部が、図示省略の配線基板上の所定のランドに、前記端子部材５ａ，５ｂの一部の部分で規制される所定位置までそれぞれ嵌入されてフロ−はんだによるはんだ付けが行われることにより該配線基板上に実装されるように構成されている。
【００２０】
本実施例に係るコアのア−ス接続端子は、このようなトランス１における前記コア２を配線基板上のア−ス用のランドに接続するためのものであって、導電性及び弾性を有する金属板を素材として、次のように構成されている。即ち、図５に示すように、ア−ス接続端子７には、やや縦長方形状の主面部７ａと、この主面部７ａの上、下から対向するように折曲形成され、前記コア２の側部近傍における対向面部（上面部と下面部）に弾力的に挟着、即ち挟んで取付けられる一対の挟着片７ｂ，７ｂと、前記主面部７ａの下方側部から下方に延在、即ち延び出た所定長さのピン状端子部７ｃとが備えられている。前記一対の挟着片７ｂ，７ｂは、その先端部の間隔ｄが、図１中に示すコア２の厚さｔ（コア２の対向面部の厚さ）よりもやや小さくなるように折曲形成されている。
【００２１】
次に、上述のように構成されたア−ス接続端子７の取付け及び作用を説明する。トランス１におけるコア２の側部近傍における対向面部に、一対の挟着片７ｂ，７ｂの一方、例えば、上側の挟着片７ｂの先端部内側をコア２の上面部に斜め上方から押し当てつつ、又は下側の挟着片７ｂの先端部内側をコア２の下面部に斜め下方から押し当てつつ、一対の挟着片７ｂ，７ｂの先端部間隔ｄを拡げて当該一対の挟着片７ｂ，７ｂを嵌め込み、挟着させることで、ア−ス接続端子７は、コア２と導通するとともにピン状端子部７ｃが、他の複数の端子ピン６，６…とほぼ平行且つ同方向に整えられる。即ち、ピン状端子部７ｃは、恰も複数の端子ピン６，６…のうちの１つであるかのように整えられる。通常、この後、絶縁のために、コア２の全側面に図示省略のテ−プが巻かれる。ア−ス接続端子７は、主面部７ａの部分がこのテ−プで押さえられるので、コア２への取付けがさらに強固になる。
【００２２】
そして、前記複数の端子ピン６，６…を図示省略の配線基板上の所定のランドに、またピン状端子部７ｃをア−ス用のランドに、前記端子部材５ａ，５ｂの一部の部分で規制される所定位置までそれぞれ嵌入させ、フロ−はんだによる各端子ピン６，６…及びピン状端子部７ｃとランドとのはんだ付けを行うことにより、コア２のア−スとりが行われるとともにトランス１が配線基板上に実装される。このコア２のア−スとりにより、コア２を含むトランス１の電位が一定に保持されてノイズ対策が図られるとともに安定したトランス動作が行われる。
【００２３】
上述したように、本実施例に係るコアのア−ス接続端子７においては、他の接着等の脱落防止策が無くても、ピン状端子部７ｃを他の複数の端子ピン６，６…とほぼ平行且つ同方向にに整えることができ、また該複数の端子ピン６，６…を配線基板上の所定のランドに嵌入し、はんだ付けを行う工程時に、ピン状端子部７ｃをア−ス用のランドに嵌入し、はんだ付けを行うことができる。したがって、簡単な構成及び簡単な工程でコア２のア−スとりを確実に行うことができる。
【実施例２】
【００２４】
本発明の実施例２を、図６を用いて説明する。同図は、本実施例に係るア−ス接続端子の側面図である。図６に示すように、本実施例のア−ス接続端子８は、その一対の挟着片８ｂ，８ｂ間の間隔が、上記実施例１におけるものよりも大きな度合いで、次第に狭まるように主面部８ａから折曲形成されるとともに、当該一対の挟着片８ｂ，８ｂの先端部の間隔Ｄは、前記コア２における対向面部の厚さｔ以上に拡げられている。
【００２５】
本実施例のア−ス接続端子８は、上記のように構成されているので、コア２に対する一対の挟着片８ｂ，８ｂの取付けが、より強固に行われるとともに、ア−ス接続端子８とコア２との一層確実な導通が得られる。また、一対の挟着片８ｂ，８ｂの先端部の間隔Ｄがコア２における対向面部の厚さｔ以上に拡げられることで、一対の挟着片８ｂ，８ｂ間の間隔が、実施例１におけるものよりも大きな度合いで、次第に狭まるように形成されていても、コア２に対する一対の挟着片８ｂ，８ｂの容易嵌め込み性が得られて、容易に強固な挟着状態とすることができる。
【実施例３】
【００２６】
本発明の実施例３を、図７を用いて説明する。同図は、本実施例に係るア−ス接続端子の平面図である。図３に示すように、本実施例のア−ス接続端子９は、前記実施例１又は実施例２と同様に形成された一対の挟着片における少なくとも一方の挟着片９ｂに、主面部９ａとの折曲線に沿った幅方向（図７の縦方向）のほぼ中央部で且つ前記主面部９ａとの折曲部から当該挟着片９ｂの先端部にかけてスリット９ｄが形成されている。
【００２７】
本実施例のア−ス接続端子９は、上記のように構成されているので、コア２に対して一対の挟着片９ｂ，９ｂが一層嵌め込み易くなるとともに、少なくとも一方の挟着片９ｂがスリット９ｄにより２個に分割されることで、コア２に対する挟着片９ｂ，９ｂの接触性が良好になりア−ス接続端子９とコア２との一層確実な導通を得ることができる。
【００２８】
なお、本発明は、本発明の精神を逸脱しない限り種々の改変をなすことができ、そして、本発明が該改変されたものにも及ぶことは当然である。
【図面の簡単な説明】
【００２９】
図は本発明の実施の形態を示すものである。
【図１】実施例１に係るコアのア−ス接続端子が装着されたトランスの一例を示す側面          図。
【図２】図１の正面図。
【図３】図１の平面図。
【図４】図１の底面図。
【図５】（ａ）は実施例１に係るコアのア−ス接続端子の正面図、（ｂ）は同側面図。
【図６】実施例２に係るコアのア−ス接続端子の側面図。
【図７】実施例３に係るコアのア−ス接続端子の平面図。
【符号の説明】
【００３０】
１                トランス
２                コア
４                コイル
６                端子ピン
７，８，９        ア−ス接続端子
７ａ，８ａ，９ａ  主面部
７ｂ，８ｂ，９ｂ  挟着片
７ｃ              ピン状端子部
９ｄ              スリット
【図１】
2005159233.tif 000003
【図２】
2005159233.tif 000004
【図３】
2005159233.tif 000005
【図４】
2005159233.tif 000006
【図５】
2005159233.tif 000007
【図６】
2005159233.tif 000008
【図７】
2005159233.tif 000009